(57)【要約】      （修正有）【課題】エネルギー資源を節約し、作業台空間を占用せず、精密はんだ付けの効率と品質をアップする、エコロジー型精密はんだ付け装置を提供する。【解決手段】照明装置１０、拡大鏡２０、挟持ユニット、糸状はんだリールシート、及びはんだごてスタンド５０を包含する。該照明装置はランプ本体下端に台座１２を有し、上端にランプヘッドが取り付けられ、該ランプヘッドの中心位置に拡大鏡が設置される中空構造が形成され、該台座の上方に照明光線を提供する光源が設けられ、該光源が、該拡大鏡の外周に対応する位置に配置されている。該挟持ユニットは該ランプ本体の中段に取り付けられ、別端はワークの挟持部３３とされる。該糸状はんだリールシートは該台座の後方に固定されて糸状はんだが設置され、該はんだごてスタンドは、該台座の左側或いは右側に固定される。【選択図】図２
0003159372.tif 000002
【実用新案登録請求の範囲】
【請求項１】
照明装置、拡大鏡、挟持ユニットを包含し、
該照明装置は、ランプ本体の下端に台座を固定し、上端にランプヘッドを取り付け、該ランプヘッドの中心位置に該拡大鏡を設置する中空構造を形成し、該ランプヘッドにあって該台座の上方に対応する位置に照明光線を提供する光源を設けてなり、
該拡大鏡は該ランプヘッドの該中空構造に取り付けられ、
該挟持ユニットの一端は該ランプ本体の中段部分に取り付けられ、別端にワークを保持する挟持部が設けられたことを特徴とするエコロジー型精密はんだ付け装置。
【請求項２】
請求項１記載のエコロジー型精密はんだ付け装置において、該ランプヘッドはランプカバーとカバー板を組みあわせてなる環状の収容空間内に、回路板と複数のバルブで構成した光源を収容してなり、該ランプカバーの内側の該中空構造に該拡大鏡が設置されることを特徴とするエコロジー型精密はんだ付け装置。
【請求項３】
請求項２記載のエコロジー型精密はんだ付け装置において、該複数のバルブは等間隔に環状を呈するように該基板に配設され、該基板は複数の独立した円弧状基板を組み合わせてなり、各該円弧状基板の二端に導電機能を有する電子部品が設けられ、一端にピンが凸設され、別端に挿入孔が設けられ、これら円弧状基板が該ピンと該挿入孔の結合により環状に組み合わされ、これらバルブのいずれかが故障した時に、故障したバルブのある円弧状基板のみを交換できることを特徴とするエコロジー型精密はんだ付け装置。
【請求項４】
請求項１記載のエコロジー型精密はんだ付け装置において、該挟持ユニットは、ホルダ、調整ロッド、二つの挟持部、及びはんだガイド孔座で構成され、該ホルダの一端に該ランプ本体を保持する保持部が設けられ、別端に該調整ロッドが横向きに組み合わされ、該二つの挟持部の一端が該調整ロッドに結合され、該はんだガイド孔座の一端は空心のスリーブにより該調整ロッドに嵌合され、該はんだガイド孔座の別端には異なるサイズの糸状はんだの一端を通すことができる孔径の異なる複数のはんだガイド孔が形成されたことを特徴とするエコロジー型精密はんだ付け装置。
【請求項５】
請求項４記載のエコロジー型精密はんだ付け装置において、該はんだガイド孔座の上端にははんだガイド孔が設けられ、下端にはスリーブが設けられ、該スリーブに切り込みが入れられて弾性片部が形成され、該はんだガイド孔座が該調整ロッドに結合される時に、該弾性片部と調整ロッドの外周の圧接により、強固で滑りにくい位置決め構造が達成されることを特徴とするエコロジー型精密はんだ付け装置。
【請求項６】
請求項１記載のエコロジー型精密はんだ付け装置において、該台座の前方表面には、はんだ付け作業に用いられる、はんだ付け綿或いは細小部品が収容するための、凹んだ収容部が設けられたことを特徴とするエコロジー型精密はんだ付け装置。
【請求項７】
請求項１記載のエコロジー型精密はんだ付け装置において、該台座の後方表面に二つの第１固定孔が設けられ、これら二つの第１固定孔は、該糸状はんだリールシートを取り付けるのに用いられ、該糸状はんだリールシートは、足架、リール及び心軸で構成され、該足架の一端は該第１固定孔部分にネジ止めされ、別端に枢接孔が形成され、該心軸は２端に縮径の跨置部が設けられ、並びに一端に円板状のストッパボードが形成され、該心軸が該リールに通された後、該跨置部が該枢接孔部分に嵌め込まれて位置決めされ、糸状はんだが該リールに巻き付けられ、糸状はんだの引き出しに便利で、該ストッパボードの制限により、該心軸の回転過程中の不当な離脱が防止されることを特徴とするエコロジー型精密はんだ付け装置。
【請求項８】
請求項１記載のエコロジー型精密はんだ付け装置において、該台座の後方表面に二つの第１固定孔が設けられ、これら第１固定孔の前方二側にそれぞれ第２固定孔が形成され、はんだごてスタンドが左側或いは右側の該第２固定孔に選択的に取り付けられ、該はんだごてスタンドは、金属線材を巻いてなり、底端に固定部が凸設され、上端にベークライトキャップが嵌合され、該固定部に通されたネジにより、該はんだごてスタンドが該第２固定孔部分に固定されることを特徴とするエコロジー型精密はんだ付け装置。
【考案の詳細な説明】
【技術分野】
【０００１】
本考案はエコロジー型精密はんだ付け装置に係り、特に、精密はんだ付け専用とされ、且つ各種の専用器材を集成した構造に関する。
【背景技術】
【０００２】
伝統的なはんだごては、電熱方式で高温を発生する装置であり、はんだを熱で溶かし、さらに電子部品のピンと基板の間をはんだ付けし、電子部品を基板に実装するのに用いられる。はんだごては不使用時にははんだごてスタンドに置くことができ、使用者或いは周囲の人を火傷させない。さらに、精密はんだ付け作業において、はんだ付け作業を行いやすくするには、ワークを挟持すると共に、拡大鏡で確認する必要があるため、図１に示されるような挟持台がすでにある。この挟持台は、台座（２）の上端に支持棒が横向きに設けられ、さらに支持棒の２端にそれぞれ可動ジョイントを利用して挟持手段（３）が設置されるほか、可動ジョイント（Ｇ）を用いて該支持棒に拡大鏡（４）が取り付けられ、これら二つの挟持手段（３）を利用してワークを挟持し、さらに拡大鏡（４）によりはんだ付け部分を拡大して確認できる。
【０００３】
上述の挟持台とはんだごては別個の物品であり、使用上、携帯、収納などに不便であるほか、場所をとり、照明光線は拡大鏡の上方よりくるため、往々にして反射、及び作業員の眼精疲労の問題を形成し、はんだ付けにおける欠点の一つを形成した。別の欠点は、光線を集中させられないことである。このほか、はんだ付けに必要な糸状はんだの設置、及び、はんだ付け綿などの放置場所は、従来の技術では別に用意しなければならず、不便で場所をとる欠点があり、改善の必要があった。
【考案の概要】
【考案が解決しようとする課題】
【０００４】
本考案の目的は、エコロジー型精密はんだ付け装置を提供することにあり、それは、精密はんだ付け用の各種の専用器具及び拡大鏡、照明装置を一つに集成し、精密はんだ付けの効率、品質を高めると共に、精密はんだ付け器材の携帯或いは収納を便利とするものとする。
【課題を解決するための手段】
【０００５】
本考案のエコロジー型精密はんだ付け装置は、照明装置、該照明装置に組み合わされた拡大鏡、挟持ユニット、糸状はんだリールシート、及びはんだごてスタンドを包含する。
【０００６】
そのうち、該照明装置はランプ本体下端に固定された台座と、上端のランプヘッドを具え、該ランプヘッドの内側中心位置に中空構造が設けられて、該中空構造に該拡大鏡が設置され、該台座の上方に照明光線を提供する光源が設けられている。
【０００７】
さらに説明すると、該ランプヘッドは、ランプカバーとカバー板を組み合わせてなる収容空間内に光源を設置してなり、該ランプカバーの内側に、該拡大鏡を設置する中空構造が形成され、外側に環状の収容空間が形成され、該収容空間に光源を構成する基板とバルブが設置される。
【０００８】
該該挟持ユニットは、ホルダ、調整ロッド、二つの挟持部、及びはんだガイド孔座等の部品で構成される。該ホルダの一端には該ランプ本体を保持する保持部が設けられ、別端に該調整ロッドが横向きに組み合わされ、さらに、該二つの挟持部の一端が該調整ロッドに固定される。該はんだガイド孔座の一端は該調整ロッドに嵌合され、別端にはサイズの異なる複数のはんだガイド孔が設けられ、異なるサイズの糸状はんだの一端を通すのに用いられ、糸状はんだをガイドして順調に引っ張れるようにする。
【０００９】
該台座の後部表面に二つの第１固定孔が設けられ、該糸状はんだリールシートを取り付けるのに供され、該糸状はんだリールシートは、足架、リール及び心軸で構成される。該足架の一端は、該第１固定孔部分にネジ止めされ、別端には枢接孔が形成され、該心軸がリールに通された後に該枢接孔に枢着されて位置決めされ、糸状はんだが該リールに巻き付けられ、糸状はんだが順調に引張り出されて使用される。該台座後方表面の２側にはそれぞれ第２固定孔が設けられる。
【００１０】
該はんだごてスタンドは、使用者が左利きか右利きかにより便利な側の第２固定孔に取り付けられる。該はんだごてスタンドは金属線材を巻いてなり、底端に固定部が凸設され、上端にはベークライトキャップが嵌合され、ネジが該固定部に通されて、該はんだごてスタンドが該第２固定孔部分に固定される。
【考案の効果】
【００１１】
こうして、本考案は、拡大鏡、挟持ユニット、糸状はんだリールシート、及びはんだごてスタンドを照明装置に結合させた構造により、精密はんだ付けの効率と品質をアップすると共に、携帯、収納或いは使用に便利とし、場所をとらず、エネルギー資源を節約し、目を保護し、さらに産業上の競争力を具備する。
【図面の簡単な説明】
【００１２】
【図１】周知の技術の立体組合せ外観図である。
【図２】本考案の立体組合せ外観図である。
【図３】本考案の立体分解図である。
【図４】本考案のランプヘッドの立体分解図である。
【図５】本考案の使用表示図である。
【考案を実施するための形態】
【００１３】
本考案の採用する技術手段及びその作用効果について、好ましい実施例を挙げて図面と組み合わせて以下に詳細に説明し、本考案の上述の目的、構造、及び特徴について、具体的にご理解いただけるようにする。
【００１４】
図２から図５に示されるように、本考案のエコロジー型精密はんだ付け装置は、照明装置（１０）、該照明装置（１０）に組み合わされた拡大鏡（２０）、挟持ユニット（３０）、糸状はんだリールシート（４０）、及びはんだごてスタンド（５０）を包含する。
【００１５】
そのうち、該照明装置（１０）は、ランプ本体（１１）下端に台座（１２）が固定され、上端にランプヘッド（１３）が取り付けられ、該ランプヘッド（１３）の内側中心位置に該拡大鏡（２０）が設置される中空構造が設けられ、該台座（１２）の上方に照明光線を提供する光源（１４）が設けられてなる。該ランプ本体（１１）は一般に周知の構造であり、内部空間にバッテリーが設置され、並びに交流、直流電源のいずれにも適用される電子部品が設置され、これは周知の技術に属するため、説明を省略する。
【００１６】
該ランプヘッド（１３）は、ランプカバー（１３１）とカバー板（１３２）を組み合わせてなる収容空間内に光源（１４）を設置してなる。該ランプカバー（１３１）の内側に、該拡大鏡（２０）を設置する中空構造が形成され、外側に環状の収容空間が形成され、該収容空間に光源（１４）を構成する基板（１４１）とバルブ（１４２）が設置される。これらバルブ（１４２）は等間隔に環状を呈するように基板（１４１）に配設され、且つ該基板（１４１）は複数の独立した円弧状基板（１４３）に分割されたものを組み合わせてなり、各該円弧状基板（１４３）の２端には導電機能を有する電子部品が設けられ、一端にはピン（１４４）が凸設され、別端には挿入孔（１４５）が設けられ、これによりこれら円弧状基板（１４３）がピン（１４４）と挿入孔（１４５）の結合により組みあわされて環状とされ、これにより、製造材料を節約するのみならず、バルブ（１４２）のいずれかが壊れた時にも、そのうち一つの円弧状基板（１４３）を交換すればよい。
【００１７】
このほか、該台座（１２）の前方表面には、二つの凹んだ収容部（１２１）が設けられ、該収容部（１２１）にははんだ付け作業に用いられるはんだ付け綿（６１）或いは細小部品が収容される。台座（１２）の後方表面には二つの第１固定孔（１２２）及び第２固定孔（１２３）が設けられ、これら二つの第１固定孔（１２２）は、該糸状はんだリールシートを取り付けるのに用いられ、第２固定孔（１２３）ははんだごてスタンド（５０）を固定するのに用いられる。
【００１８】
該拡大鏡（２０）は円形或いは幾何形状のレンズとされ、該ランプヘッド（１３）部分に取り付けられ、且つ該光源（１４）の内側に位置する。
【００１９】
該挟持ユニット（３０）は、ホルダ（３１）、調整ロッド（３２）、二つの挟持部（３３）、及びはんだガイド孔座（３４）等の部品で構成される。そのうち、該ホルダ（３１）の一端には該ランプ本体（１１）を保持する保持部（３１１）が設けられ、別端に該調整ロッド（３２）が横向きに組み合わされ、さらに、該二つの挟持部（３３）の一端がユニバーサルジョイントで該調整ロッド（３２）に結合される。該はんだガイド孔座（３４）の一端は空心のスリーブ（３４２）により該調整ロッド（３２）に嵌合され、且つスリーブ（３４２）には切り込みが入れられて弾性片部（３４３）が形成され、これにより、該はんだガイド孔座（３４）が該調整ロッド（３２）に結合される時に、該弾性片部（３４３）と調整ロッド（３２）の外周の圧接により、強固で滑りにくい位置決め構造が達成される。また、該はんだガイド孔座（３４）の別端には孔径の異なる複数のはんだガイド孔（３４１）が形成されて、異なるサイズの糸状はんだの一端を通すことができ、糸状はんだを案内して順調に引っ張れるようにする。
【００２０】
該糸状はんだリールシート（４０）は、足架（４１）、リール（４２）及び心軸（４３）で構成される。該足架（４１）は２側に設置され、一端は該第１固定孔（１２２）部分にネジ止めされ、別端には枢接孔（４１１）が形成され、該心軸（４３）は２端に縮径の跨置部（４３１）が設けられ、並びに一端に円板状のストッパボード（４３２）が形成されている。該心軸（４３）がリール（４２）に通された後、該跨置部（４３１）が該枢接孔（４１１）部分に嵌め込まれて位置決めされる。糸状はんだ（図示せず）が該リール（４２）に巻き付けられている時、糸状はんだを引っ張って使用しやくすると共に、該ストッパボード（４３２）の制限により、該心軸（４３）が回転過程中に不当に離脱するのが防止される。
【００２１】
該はんだごてスタンド（５０）は、金属線材を巻いてなり、底端に固定部（５１）が凸設され、上端にはベークライトキャップ（５２）が嵌合され、ネジ（６２）が該固定部（５１）に通されて、該はんだごてスタンド（５０）が該第２固定孔（１２３）部分に固定される。
【００２２】
こうして、本考案は、拡大鏡（２０）、挟持ユニット（３０）、糸状はんだリールシート（４０）、及びはんだごてスタンド（５０）を照明装置（１０）に結合させた構造により、精密はんだ付けの効率と品質をアップすると共に、携帯、収納或いは使用に便利とし、場所をとらず、エネルギー資源を節約し、目を保護し、さらに産業上の競争力と製品の実用性をアップする。
【００２３】
総合すると、本考案は同類の製品中で極めて良好な進歩性、実用性を有し、また国内外のこの類の構造の技術資料、文献中に、同じ構造は存在せず、本考案は実用新案登録の要件を具備している。
【００２４】
上述の実施例は、本考案を説明するために例示されたものにすぎず、本考案の創作精神から離脱せずに、この技術を熟知するものがなし得る各種の変化、修飾及び応用は、いずれも本考案の範疇に属する。
【符号の説明】
【００２５】
１０  照明装置                      １１  ランプ本体
１２  台座                          １２１  収容部
１２２  第１固定孔                  １２３  第２固定孔
１３  ランプヘッド                  １３１  ランプカバー
１３２  カバー板                    １４  光源
１４１  基板                        １４２  バルブ
１４３  円弧状基板                  １４４  ピン
１４５  挿入孔                      ２０  拡大鏡
３０  挟持ユニット                  ３１  ホルダ
３１１  保持部                      ３２  調整ロッド
３３  挟持部                        ３４  はんだガイド孔座
３４１  はんだガイド孔              ４０  糸状はんだリールシート
４１  足架                          ４１１  枢接孔
４２  リール                        ４３  心軸
４３１  跨置部                      ４３２  ストッパボード
５０  はんだごてスタンド            ５１  固定部
５２  ベークライトキャップ          ６１  はんだ付け綿
６２  ネジ
【図１】
0003159372.tif 000003
【図２】
0003159372.tif 000004
【図３】
0003159372.tif 000005
【図４】
0003159372.tif 000006
【図５】
0003159372.tif 000007
【手続補正書】
【提出日】平成22年3月9日(2010.3.9)
【手続補正１】
【補正対象書類名】実用新案登録請求の範囲
【補正対象項目名】請求項３
【補正方法】変更
【補正の内容】
【請求項３】
請求項２記載のエコロジー型精密はんだ付け装置において、該複数のバルブは等間隔に環状を呈するように基板に配設され、該基板は複数の独立した円弧状基板を組み合わせてなり、各該円弧状基板の二端に導電機能を有する電子部品が設けられ、一端にピンが凸設され、別端に挿入孔が設けられ、これら円弧状基板が該ピンと該挿入孔の結合により環状に組み合わされ、これらバルブのいずれかが故障した時に、故障したバルブのある円弧状基板のみを交換できることを特徴とするエコロジー型精密はんだ付け装置。
【手続補正２】
【補正対象書類名】実用新案登録請求の範囲
【補正対象項目名】請求項７
【補正方法】変更
【補正の内容】
【請求項７】
請求項１記載のエコロジー型精密はんだ付け装置において、該台座の後方表面に二つの第１固定孔が設けられ、これら二つの第１固定孔は、糸状はんだリールシートを取り付けるのに用いられ、該糸状はんだリールシートは、足架、リール及び心軸で構成され、該足架の一端は該第１固定孔部分にネジ止めされ、別端に枢接孔が形成され、該心軸は２端に縮径の跨置部が設けられ、並びに一端に円板状のストッパボードが形成され、該心軸が該リールに通された後、該跨置部が該枢接孔部分に嵌め込まれて位置決めされ、糸状はんだが該リールに巻き付けられ、糸状はんだの引き出しに便利で、該ストッパボードの制限により、該心軸の回転過程中の不当な離脱が防止されることを特徴とするエコロジー型精密はんだ付け装置。